【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
ユーザ機器デバイス上に録画するために無中断バージョンのテレビ番組を伝送するための方法であって、
ユーザ機器デバイスに、テレビ番組を含む第１のストリームを伝送するステップと、
前記ユーザ機器デバイスから、前記テレビ番組が録画中であることのインジケーションを受信するステップと、
制御回路を使用して、前記テレビ番組の伝送の間、中断が差し迫っているかどうかを判定するステップと、
前記テレビ番組の伝送の間、前記中断が差し迫っていることの判定に応答して、
前記制御回路を使用して、前記テレビ番組を含む第２のストリームを生成するステップであって、前記第２のストリームは、前記テレビ番組の伝送の間、前記中断を含まない、ステップと、
前記ユーザ機器デバイスに、前記第２のストリームと前記第１のストリームから前記第２のストリームに前記テレビ番組の録画を切り替えるための命令とを伝送するステップと、
を含む、方法。
【請求項２】
前記テレビ番組の伝送の間の前記差し迫っている中断は、緊急警報メッセージおよび予定外のニュース放送のうちの１つまたはそれを上回るものを含む、請求項１に記載の方法。
【請求項３】
前記第１のストリームから前記第２のストリームに前記テレビ番組の録画を切り替えるための命令は、前記第２のストリームのための録画チャンネル識別子を含む、請求項１に記載の方法。
【請求項４】
前記ユーザ機器デバイスは、前記第１のストリームのための録画チャンネル識別子から前記第２のストリームのための録画チャンネル識別子に前記テレビ番組の録画を切り替える、請求項３に記載の方法。
【請求項５】
前記テレビ番組の伝送と実質的に同時に前記ユーザ機器デバイス上で前記テレビ番組を視聴しているユーザは、前記テレビ番組の間、前記中断を体験する、請求項１に記載の方法。
【請求項６】
前記テレビ番組の伝送後のある時間に前記ユーザ機器デバイス上で前記テレビ番組を視聴しているユーザは、前記テレビ番組の間、前記中断を体験しない、請求項１に記載の方法。
【請求項７】
前記第２のストリームは、切り替えられたデジタルビデオストリームとして生成される、請求項１に記載の方法。
【請求項８】
前記テレビ番組の伝送後のある時間に前記ユーザ機器デバイス上で前記テレビ番組を視聴しているユーザは、ビデオオンデマンドサービスを介して前記テレビ番組を視聴するためのオプションを受信する、請求項１に記載の方法。
【請求項９】
前記テレビ番組の伝送後のある時間に前記ユーザ機器デバイス上で前記テレビ番組を視聴しているユーザは、前記テレビ番組が再放送される別の時間に前記テレビ番組を録画するためのオプションを受信する、請求項１に記載の方法。
【請求項１０】
前記第２のストリームは、複数のユーザ機器デバイスからの前記テレビ番組が録画中であることの閾値数のインジケーションの受信に応答して生成される、請求項１に記載の方法。
【請求項１１】
ユーザ機器デバイス上に録画するために無中断バージョンのテレビ番組を伝送するためのシステムであって、
ユーザ機器デバイスと通信するように構成される通信回路と、
制御回路であって、
ユーザ機器デバイスに、テレビ番組を含む第１のストリームを伝送することと、
前記ユーザ機器デバイスから、前記テレビ番組が録画中であることのインジケーションを受信することと、
前記テレビ番組の伝送の間、中断が差し迫っているかどうかを判定することと、
前記テレビ番組の伝送の間、前記中断が差し迫っていることの判定に応答して、
前記テレビ番組を含む第２のストリームを生成することであって、前記第２のストリームは、前記テレビ番組の伝送の間、前記中断を含まない、ことと、
前記ユーザ機器デバイスに、前記第２のストリームと前記第１のストリームから前記第２のストリームに前記テレビ番組の録画を切り替えるための命令とを伝送することと
を行うように構成される、制御回路と、
を備える、システム。
【請求項１２】
前記テレビ番組の伝送の間の前記差し迫っている中断は、緊急警報メッセージおよび予定外のニュース放送のうちの１つまたはそれを上回るものを含む、請求項１１に記載のシステム。
【請求項１３】
前記第１のストリームから前記第２のストリームに前記テレビ番組の録画を切り替えるための命令は、前記第２のストリームのための録画チャンネル識別子を含む、請求項１１に記載のシステム。
【請求項１４】
前記ユーザ機器デバイスは、前記第１のストリームのための録画チャンネル識別子から前記第２のストリームのための録画チャンネル識別子に前記テレビ番組の録画を切り替える、請求項１３に記載のシステム。
【請求項１５】
前記テレビ番組の伝送と実質的に同時に前記ユーザ機器デバイス上で前記テレビ番組を視聴しているユーザは、前記テレビ番組の間、前記中断を体験する、請求項１１に記載のシステム。
【請求項１６】
前記テレビ番組の伝送後のある時間に前記ユーザ機器デバイス上で前記テレビ番組を視聴しているユーザは、前記テレビ番組の間、前記中断を体験しない、請求項１１に記載のシステム。
【請求項１７】
前記第２のストリームは、切り替えられたデジタルビデオストリームとして生成される、請求項１１に記載のシステム。
【請求項１８】
前記テレビ番組の伝送後のある時間に前記ユーザ機器デバイス上で前記テレビ番組を視聴しているユーザは、ビデオオンデマンドサービスを介して前記テレビ番組を視聴するためのオプションを受信する、請求項１１に記載のシステム。
【請求項１９】
前記テレビ番組の伝送後のある時間に前記ユーザ機器デバイス上で前記テレビ番組を視聴しているユーザは、前記テレビ番組が再放送される別の時間に前記テレビ番組を録画するためのオプションを受信する、請求項１１に記載のシステム。
【請求項２０】
前記第２のストリームは、複数のユーザ機器デバイスからの前記テレビ番組が録画中であることの閾値数のインジケーションの受信に応答して生成される、請求項１１に記載のシステム。
【手続補正２】
【補正対象書類名】明細書
【補正対象項目名】００２０
【補正方法】変更
【補正の内容】
【００２０】
いくつかの実施形態では、第１のストリームからのテレビ番組の伝送の間、中断が差し迫っている一方、中断は、第２のストリームからのテレビ番組の録画の間、存在しない。前述のように、これは、サービスプロバイダが、その要件に準拠し、テレビ番組を鑑賞している間、緊急メッセージをユーザに伝送するため、従来のシステムより有利である。同時に、ユーザ機器デバイスは、有利には、ユーザが、中断が録画の間に含まれずに、後の時間に鑑賞することができる、無中断バージョンのテレビ番組を記憶する。
本発明は、例えば、以下を提供する。
（項目１）
ユーザ機器デバイス上に録画するために無中断バージョンのテレビ番組を伝送するための方法であって、
ユーザ機器デバイスに、テレビ番組を含む第１のストリームを伝送するステップと、
前記ユーザ機器デバイスから、前記テレビ番組が録画中であることのインジケーションを受信するステップと、
制御回路を使用して、前記テレビ番組の伝送の間、中断が差し迫っているかどうかを判定するステップと、
前記テレビ番組の伝送の間、前記中断が差し迫っていることの判定に応答して、
前記制御回路を使用して、前記テレビ番組を含む第２のストリームを生成するステップであって、前記第２のストリームは、前記テレビ番組の伝送の間、前記中断を含まない、ステップと、
前記ユーザ機器デバイスに、前記第２のストリームと前記第１のストリームから前記第２のストリームに前記テレビ番組の録画を切り替えるための命令とを伝送するステップと、
を含む、方法。
（項目２）
前記テレビ番組の伝送の間の前記差し迫っている中断は、緊急警報メッセージおよび予定外のニュース放送のうちの１つまたはそれを上回るものを含む、項目１に記載の方法。
（項目３）
前記第１のストリームから前記第２のストリームに前記テレビ番組の録画を切り替えるための命令は、前記第２のストリームのための録画チャンネル識別子を含む、項目１に記載の方法。
（項目４）
前記ユーザ機器デバイスは、前記第１のストリームのための録画チャンネル識別子から前記第２のストリームのための録画チャンネル識別子に前記テレビ番組の録画を切り替える、項目３に記載の方法。
（項目５）
前記テレビ番組の伝送と実質的に同時に前記ユーザ機器デバイス上で前記テレビ番組を視聴しているユーザは、前記テレビ番組の間、前記中断を体験する、項目１に記載の方法。
（項目６）
前記テレビ番組の伝送後のある時間に前記ユーザ機器デバイス上で前記テレビ番組を視聴しているユーザは、前記テレビ番組の間、前記中断を体験しない、項目１に記載の方法。
（項目７）
前記第２のストリームは、切り替えられたデジタルビデオストリームとして生成される、項目１に記載の方法。
（項目８）
前記テレビ番組の伝送後のある時間に前記ユーザ機器デバイス上で前記テレビ番組を視聴しているユーザは、ビデオオンデマンドサービスを介して前記テレビ番組を視聴するためのオプションを受信する、項目１に記載の方法。
（項目９）
前記テレビ番組の伝送後のある時間に前記ユーザ機器デバイス上で前記テレビ番組を視聴しているユーザは、前記テレビ番組が再放送される別の時間に前記テレビ番組を録画するためのオプションを受信する、項目１に記載の方法。
（項目１０）
前記第２のストリームは、複数のユーザ機器デバイスからの前記テレビ番組が録画中であることの閾値数のインジケーションの受信に応答して生成される、項目１に記載の方法。
（項目１１）
ユーザ機器デバイス上に録画するために無中断バージョンのテレビ番組を伝送するためのシステムであって、
ユーザ機器デバイスと通信する通信回路と、
制御回路であって、
ユーザ機器デバイスに、テレビ番組を含む第１のストリームを伝送することと、
前記ユーザ機器デバイスから、前記テレビ番組が録画中であることのインジケーションを受信することと、
前記テレビ番組の伝送の間、中断が差し迫っているかどうかを判定することと、
前記テレビ番組の伝送の間、前記中断が差し迫っていることの判定に応答して、
前記テレビ番組を含む第２のストリームを生成することであって、前記第２のストリームは、前記テレビ番組の伝送の間、前記中断を含まない、ことと、
前記ユーザ機器デバイスに、前記第２のストリームと前記第１のストリームから前記第２のストリームに前記テレビ番組の録画を切り替えるための命令とを伝送することと
を行うように構成される、制御回路と、
を備える、システム。
（項目１２）
前記テレビ番組の伝送の間の前記差し迫っている中断は、緊急警報メッセージおよび予定外のニュース放送のうちの１つまたはそれを上回るものを含む、項目１１に記載のシステム。
（項目１３）
前記第１のストリームから前記第２のストリームに前記テレビ番組の録画を切り替えるための命令は、前記第２のストリームのための録画チャンネル識別子を含む、項目１１に記載のシステム。
（項目１４）
前記ユーザ機器デバイスは、前記第１のストリームのための録画チャンネル識別子から前記第２のストリームのための録画チャンネル識別子に前記テレビ番組の録画を切り替える、項目１３に記載のシステム。
（項目１５）
前記テレビ番組の伝送と実質的に同時に前記ユーザ機器デバイス上で前記テレビ番組を視聴しているユーザは、前記テレビ番組の間、前記中断を体験する、項目１１に記載のシステム。
（項目１６）
前記テレビ番組の伝送後のある時間に前記ユーザ機器デバイス上で前記テレビ番組を視聴しているユーザは、前記テレビ番組の間、前記中断を体験しない、項目１１に記載のシステム。
（項目１７）
前記第２のストリームは、切り替えられたデジタルビデオストリームとして生成される、項目１１に記載のシステム。
（項目１８）
前記テレビ番組の伝送後のある時間に前記ユーザ機器デバイス上で前記テレビ番組を視聴しているユーザは、ビデオオンデマンドサービスを介して前記テレビ番組を視聴するためのオプションを受信する、項目１１に記載のシステム。
（項目１９）
前記テレビ番組の伝送後のある時間に前記ユーザ機器デバイス上で前記テレビ番組を視聴しているユーザは、前記テレビ番組が再放送される別の時間に前記テレビ番組を録画するためのオプションを受信する、項目１１に記載のシステム。
（項目２０）
前記第２のストリームは、複数のユーザ機器デバイスからの前記テレビ番組が録画中であることの閾値数のインジケーションの受信に応答して生成される、項目１１に記載のシステム。
（項目２１）
ユーザ機器デバイス上に録画するために無中断バージョンのテレビ番組を伝送するためのシステムであって、
ユーザ機器デバイスに、テレビ番組を含む第１のストリームを伝送するための手段と、
前記ユーザ機器デバイスから、前記テレビ番組が録画中であることのインジケーションを受信するための手段と、
前記テレビ番組の伝送の間、中断が差し迫っているかどうかを判定するための手段と、
前記テレビ番組の伝送の間、前記中断が差し迫っていることの判定に応答して、
前記テレビ番組を含む第２のストリームを生成するための手段であって、前記第２のストリームは、前記テレビ番組の伝送の間、前記中断を含まない、手段と、
前記ユーザ機器デバイスに、前記第２のストリームと前記第１のストリームから前記第２のストリームに前記テレビ番組の録画を切り替えるための命令とを伝送するための手段と、
を備える、システム。
（項目２２）
前記テレビ番組の伝送の間の前記差し迫っている中断は、緊急警報メッセージおよび予定外のニュース放送のうちの１つまたはそれを上回るものを含む、項目２１に記載のシステム。
（項目２３）
前記第１のストリームから前記第２のストリームに前記テレビ番組の録画を切り替えるための命令は、前記第２のストリームのための録画チャンネル識別子を含む、項目２１に記載のシステム。
（項目２４）
前記ユーザ機器デバイスは、前記第１のストリームのための録画チャンネル識別子から前記第２のストリームのための録画チャンネル識別子に前記テレビ番組の録画を切り替える、項目２３に記載のシステム。
（項目２５）
前記テレビ番組の伝送と実質的に同時に前記ユーザ機器デバイス上で前記テレビ番組を視聴しているユーザは、前記テレビ番組の間、前記中断を体験する、項目２１に記載のシステム。
（項目２６）
前記テレビ番組の伝送後のある時間に前記ユーザ機器デバイス上で前記テレビ番組を視聴しているユーザは、前記テレビ番組の間、前記中断を体験しない、項目２１に記載のシステム。
（項目２７）
前記第２のストリームは、切り替えられたデジタルビデオストリームとして生成される、項目２１に記載のシステム。
（項目２８）
前記テレビ番組の伝送後のある時間に前記ユーザ機器デバイス上で前記テレビ番組を視聴しているユーザは、ビデオオンデマンドサービスを介して前記テレビ番組を視聴するためのオプションを受信する、項目２１に記載のシステム。
（項目２９）
前記テレビ番組の伝送後のある時間に前記ユーザ機器デバイス上で前記テレビ番組を視聴しているユーザは、前記テレビ番組が再放送される別の時間に前記テレビ番組を録画するためのオプションを受信する、項目２１に記載のシステム。
（項目３０）
前記第２のストリームは、複数のユーザ機器デバイスからの前記テレビ番組が録画中であることの閾値数のインジケーションの受信に応答して生成される、項目２１に記載のシステム。
（項目３１）
ユーザ機器デバイス上に録画するために無中断バージョンのテレビ番組を伝送するための方法であって、
ユーザ機器デバイスに、テレビ番組を含む第１のストリームを伝送するステップと、
前記ユーザ機器デバイスから、前記テレビ番組が録画中であることのインジケーションを受信するステップと、
制御回路を使用して、前記テレビ番組の伝送の間、中断が差し迫っているかどうかを判定するステップと、
前記テレビ番組の伝送の間、前記中断が差し迫っていることの判定に応答して、
前記制御回路を使用して、前記テレビ番組を含む第２のストリームを生成するステップであって、前記第２のストリームは、前記テレビ番組の伝送の間、前記中断を含まない、ステップと、
前記ユーザ機器デバイスに、前記第２のストリームと前記第１のストリームから前記第２のストリームに前記テレビ番組の録画を切り替えるための命令とを伝送するステップと、
を含む、方法。
（項目３２）
前記テレビ番組の伝送の間の前記差し迫っている中断は、緊急警報メッセージおよび予定外のニュース放送のうちの１つまたはそれを上回るものを含む、項目３１に記載の方法。
（項目３３）
前記第１のストリームから前記第２のストリームに前記テレビ番組の録画を切り替えるための命令は、前記第２のストリームのための録画チャンネル識別子を含む、項目３１または３２に記載の方法。
（項目３４）
前記ユーザ機器デバイスは、前記第１のストリームのための録画チャンネル識別子から前記第２のストリームのための録画チャンネル識別子に前記テレビ番組の録画を切り替える、項目３３に記載の方法。
（項目３５）
前記テレビ番組の伝送と実質的に同時に前記ユーザ機器デバイス上で前記テレビ番組を視聴しているユーザは、前記テレビ番組の間、前記中断を体験する、項目３１−３４のいずれかに記載の方法。
（項目３６）
前記テレビ番組の伝送後のある時間に前記ユーザ機器デバイス上で前記テレビ番組を視聴しているユーザは、前記テレビ番組の間、前記中断を体験しない、項目３１−３５のいずれかに記載の方法。
（項目３７）
前記第２のストリームは、切り替えられたデジタルビデオストリームとして生成される、項目３１−３６のいずれかに記載の方法。
（項目３８）
前記テレビ番組の伝送後のある時間に前記ユーザ機器デバイス上で前記テレビ番組を視聴しているユーザは、ビデオオンデマンドサービスを介して前記テレビ番組を視聴するためのオプションを受信する、項目３１−３７のいずれかに記載の方法。
（項目３９）
前記ユーザ機器デバイス上で前記テレビ番組の伝送後のある時間に前記テレビ番組を視聴しているユーザは、前記テレビ番組が再放送される別の時間に前記テレビ番組を録画するためのオプションを受信する、項目３１−３８のいずれかに記載の方法。
（項目４０）
前記第２のストリームは、複数のユーザ機器デバイスからの前記テレビ番組が録画中であることの閾値数のインジケーションの受信に応答して生成される、項目３１−３９のいずれかに記載の方法。
（項目４１）
ユーザ機器デバイス上に録画するために無中断バージョンのテレビ番組を伝送するための、その上に記録される命令を有する、非一過性コンピュータ可読媒体であって、
ユーザ機器デバイスに、テレビ番組を含む第１のストリームを伝送するための命令と、
前記ユーザ機器デバイスから、前記テレビ番組が録画中であることのインジケーションを受信するための命令と、
前記テレビ番組の伝送の間、中断が差し迫っているかどうかを判定するための命令と、
前記テレビ番組の伝送の間、前記中断が差し迫っていることの判定に応答して、
前記テレビ番組を含む第２のストリームを生成するための命令であって、前記第２のストリームは、前記テレビ番組の伝送の間、前記中断を含まない、命令と、
前記ユーザ機器デバイスに、前記第２のストリームと前記第１のストリームから前記第２のストリームに前記テレビ番組の録画を切り替えるための命令とを伝送するための命令と、
を備える、非一過性コンピュータ可読媒体。
（項目４２）
前記テレビ番組の伝送の間の前記差し迫っている中断は、緊急警報メッセージおよび予定外のニュース放送のうちの１つまたはそれを上回るものを含む、項目４１に記載の非一過性コンピュータ可読媒体。
（項目４３）
前記第１のストリームから前記第２のストリームに前記テレビ番組の録画を切り替えるための命令は、前記第２のストリームのための録画チャンネル識別子を含む、項目４１に記載の非一過性コンピュータ可読媒体。
（項目４４）
前記ユーザ機器デバイスは、前記第１のストリームのための録画チャンネル識別子から前記第２のストリームのための録画チャンネル識別子に前記テレビ番組の録画を切り替える、項目４３に記載の非一過性コンピュータ可読媒体。
（項目４５）
前記テレビ番組の伝送と実質的に同時に前記ユーザ機器デバイス上で前記テレビ番組を視聴しているユーザは、前記テレビ番組の間、前記中断を体験する、項目４１に記載の非一過性コンピュータ可読媒体。
（項目４６）
前記テレビ番組の伝送後のある時間に前記ユーザ機器デバイス上で前記テレビ番組を視聴しているユーザは、前記テレビ番組の間、前記中断を体験しない、項目４１に記載の非一過性コンピュータ可読媒体。
（項目４７）
前記第２のストリームは、切り替えられたデジタルビデオストリームとして生成される、項目４１に記載の非一過性コンピュータ可読媒体。
（項目４８）
前記テレビ番組の伝送後のある時間に前記ユーザ機器デバイス上で前記テレビ番組を視聴しているユーザは、ビデオオンデマンドサービスを介して前記テレビ番組を視聴するためのオプションを受信する、項目４１に記載の非一過性コンピュータ可読媒体。
（項目４９）
前記テレビ番組の伝送後のある時間に前記ユーザ機器デバイス上で前記テレビ番組を視聴しているユーザは、前記テレビ番組が再放送される別の時間に前記テレビ番組を録画するためのオプションを受信する、項目４１に記載の非一過性コンピュータ可読媒体。
（項目５０）
前記第２のストリームは、複数のユーザ機器デバイスからの前記テレビ番組が録画中であることの閾値数のインジケーションの受信に応答して生成される、項目４１に記載の非一過性コンピュータ可読媒体。
（項目５１）
ユーザ機器デバイス上に録画するために無中断バージョンのテレビ番組を受信するための方法であって、
サーバから、テレビ番組を含む第１のストリームを受信するステップと、
前記ユーザ機器デバイスにおいて、前記テレビ番組を録画するためのユーザ入力を受信するステップと、
前記ユーザ機器デバイスを使用して、前記第１のストリームのための録画チャンネル識別子を識別するステップと、
前記ユーザ機器デバイスを使用して、前記第１のストリームのための録画チャンネル識別子に基づいて、前記テレビ番組の録画を開始するステップと、
前記サーバから、前記第１のストリームから第２のストリームに前記テレビ番組の録画を切り替えるための命令を受信するステップと、
前記サーバから、前記テレビ番組を含む第２のストリームを受信するステップと、
前記ユーザ機器デバイスを使用して、前記第２のストリームのための録画チャンネル識別子を識別するステップと、
前記ユーザ機器デバイスを使用して、前記第２のストリームのための録画チャンネル識別子に基づいて、前記テレビ番組の録画を前記第２のストリームに切り替えるステップと、
を含む、方法。
（項目５２）
前記第１のストリームからの前記テレビ番組の伝送の間、中断が差し迫っており、前記中断は、前記第２のストリームからの前記テレビ番組の録画の間、存在しない、項目５１に記載の方法。
（項目５３）
前記中断は、緊急警報メッセージおよび予定外のニュース放送のうちの１つまたはそれを上回るものを含む、項目５２に記載の方法。
（項目５４）
前記テレビ番組の伝送と実質的に同時に前記ユーザ機器デバイス上で前記テレビ番組を視聴しているユーザは、前記テレビ番組の間、前記中断を体験する、項目５２に記載の方法。
（項目５５）
前記テレビ番組の伝送後のある時間に前記ユーザ機器デバイス上で前記テレビ番組を視聴しているユーザは、前記テレビ番組の間、前記中断を体験しない、項目５２に記載の方法。
（項目５６）
前記第１のストリームから前記第２のストリームに前記テレビ番組の録画を切り替えるための命令は、前記第２のストリームのための録画チャンネル識別子を含む、項目５１に記載の方法。
（項目５７）
前記第２のストリームは、切り替えられたデジタルビデオストリームとして生成される、項目５１に記載の方法。
（項目５８）
前記テレビ番組の伝送後のある時間に前記ユーザ機器デバイス上で前記テレビ番組を視聴しているユーザは、ビデオオンデマンドサービスを介して前記テレビ番組を視聴するためのオプションを受信する、項目５１に記載の方法。
（項目５９）
前記テレビ番組の伝送後のある時間に前記ユーザ機器デバイス上で前記テレビ番組を視聴しているユーザは、前記テレビ番組が再放送される別の時間に前記テレビ番組を録画するためのオプションを受信する、項目５１に記載の方法。
（項目６０）
前記第２のストリームは、複数のユーザ機器デバイスからの前記テレビ番組が録画中であることの閾値数のインジケーションの受信に応答して生成される、項目５１に記載の方法。
（項目６１）
ユーザ機器デバイス上に録画するために無中断バージョンのテレビ番組を受信するためのシステムであって、
サーバと通信する、通信回路と、
制御回路であって、
前記サーバから、テレビ番組を含む第１のストリームを受信することと、
前記テレビ番組を録画するためのユーザ入力を受信することと、
前記第１のストリームのための録画チャンネル識別子を識別することと、
前記第１のストリームのための録画チャンネル識別子に基づいて、前記テレビ番組の録画を開始することと、
前記サーバから、前記第１のストリームから第２のストリームに前記テレビ番組の録画を切り替えるための命令を受信することと、
前記サーバから、前記テレビ番組を含む第２のストリームを受信することと、
前記第２のストリームのための録画チャンネル識別子を識別することと、
前記第２のストリームのための録画チャンネル識別子に基づいて、前記テレビ番組の録画を前記第２のストリームに切り替えることと
を行うように構成される、制御回路と、
を備える、システム。
（項目６２）
前記第１のストリームからの前記テレビ番組の伝送の間、中断が差し迫っており、前記中断は、前記第２のストリームからの前記テレビ番組の録画の間、存在しない、項目６１に記載のシステム。
（項目６３）
前記中断は、緊急警報メッセージおよび予定外のニュース放送のうちの１つまたはそれを上回るものを含む、項目６２に記載のシステム。
（項目６４）
前記テレビ番組の伝送と実質的に同時に前記ユーザ機器デバイス上で前記テレビ番組を視聴しているユーザは、前記テレビ番組の間、前記中断を体験する、項目６２に記載のシステム。
（項目６５）
前記テレビ番組の伝送後のある時間に前記ユーザ機器デバイス上で前記テレビ番組を視聴しているユーザは、前記テレビ番組の間、前記中断を体験しない、項目６２に記載のシステム。
（項目６６）
前記第１のストリームから前記第２のストリームに前記テレビ番組の録画を切り替えるための命令は、前記第２のストリームのための録画チャンネル識別子を含む、項目６１に記載のシステム。
（項目６７）
前記第２のストリームは、切り替えられたデジタルビデオストリームとして生成される、項目６１に記載のシステム。
（項目６８）
前記テレビ番組の伝送後のある時間に前記ユーザ機器デバイス上で前記テレビ番組を視聴しているユーザは、ビデオオンデマンドサービスを介して前記テレビ番組を視聴するためのオプションを受信する、項目６１に記載のシステム。
（項目６９）
前記テレビ番組の伝送後のある時間に前記ユーザ機器デバイス上で前記テレビ番組を視聴しているユーザは、前記テレビ番組が再放送される別の時間に前記テレビ番組を録画するためのオプションを受信する、項目６１に記載のシステム。
（項目７０）
前記第２のストリームは、複数のユーザ機器デバイスからの前記テレビ番組が録画中であることの閾値数のインジケーションの受信に応答して生成される、項目６１に記載のシステム。
（項目７１）
ユーザ機器デバイス上に録画するために無中断バージョンのテレビ番組を受信するためのシステムであって、
サーバから、テレビ番組を含む第１のストリームを受信するための手段と、
前記ユーザ機器デバイスにおいて、前記テレビ番組を録画するためのユーザ入力を受信するための手段と、
前記ユーザ機器デバイスを使用して、前記第１のストリームのための録画チャンネル識別子を識別するための手段と、
前記ユーザ機器デバイスを使用して、前記第１のストリームのための録画チャンネル識別子に基づいて、前記テレビ番組の録画を開始するための手段と、
前記サーバから、前記第１のストリームから第２のストリームに前記テレビ番組の録画を切り替えるための命令を受信するための手段と、
前記サーバから、前記テレビ番組を含む第２のストリームを受信するための手段と、
前記ユーザ機器デバイスを使用して、前記第２のストリームのための録画チャンネル識別子を識別するための手段と、
前記ユーザ機器デバイスを使用して、前記第２のストリームのための録画チャンネル識別子に基づいて、前記テレビ番組の録画を前記第２のストリームに切り替えるための手段と、
を備える、システム。
（項目７２）
前記第１のストリームからの前記テレビ番組の伝送の間、中断が差し迫っており、前記中断は、前記第２のストリームからの前記テレビ番組の録画の間、存在しない、項目７１に記載のシステム。
（項目７３）
前記中断は、緊急警報メッセージおよび予定外のニュース放送のうちの１つまたはそれを上回るものを含む、項目７２に記載のシステム。
（項目７４）
前記テレビ番組の伝送と実質的に同時に前記ユーザ機器デバイス上で前記テレビ番組を視聴しているユーザは、前記テレビ番組の間、前記中断を体験する、項目７２に記載のシステム。
（項目７５）
前記テレビ番組の伝送後のある時間に前記ユーザ機器デバイス上で前記テレビ番組を視聴しているユーザは、前記テレビ番組の間、前記中断を体験しない、項目７２に記載のシステム。
（項目７６）
前記第１のストリームから前記第２のストリームに前記テレビ番組の録画を切り替えるための命令は、前記第２のストリームのための録画チャンネル識別子を含む、項目７１に記載のシステム。
（項目７７）
前記第２のストリームは、切り替えられたデジタルビデオストリームとして生成される、項目７１に記載のシステム。
（項目７８）
前記テレビ番組の伝送後のある時間に前記ユーザ機器デバイス上で前記テレビ番組を視聴しているユーザは、ビデオオンデマンドサービスを介して前記テレビ番組を視聴するためのオプションを受信する、項目７１に記載のシステム。
（項目７９）
前記テレビ番組の伝送後のある時間に前記ユーザ機器デバイス上で前記テレビ番組を視聴しているユーザは、前記テレビ番組が再放送される別の時間に前記テレビ番組を録画するためのオプションを受信する、項目７１に記載のシステム。
（項目８０）
前記第２のストリームは、複数のユーザ機器デバイスからの前記テレビ番組が録画中であることの閾値数のインジケーションの受信に応答して生成される、項目７１に記載のシステム。
（項目８１）
ユーザ機器デバイス上に録画するために無中断バージョンのテレビ番組を受信するための方法であって、
サーバから、テレビ番組を含む第１のストリームを受信するステップと、
前記ユーザ機器デバイスにおいて、前記テレビ番組を録画するためのユーザ入力を受信するステップと、
前記ユーザ機器デバイスを使用して、前記第１のストリームのための録画チャンネル識別子を識別するステップと、
前記ユーザ機器デバイスを使用して、前記第１のストリームのための録画チャンネル識別子に基づいて、前記テレビ番組の録画を開始するステップと、
前記サーバから、前記第１のストリームから第２のストリームに前記テレビ番組の録画を切り替えるための命令を受信するステップと、
前記サーバから、前記テレビ番組を含む第２のストリームを受信するステップと、
前記ユーザ機器デバイスを使用して、前記第２のストリームのための録画チャンネル識別子を識別するステップと、
前記ユーザ機器デバイスを使用して、前記第２のストリームのための録画チャンネル識別子に基づいて、前記テレビ番組の録画を前記第２のストリームに切り替えるステップと、
を含む、方法。
（項目８２）
前記第１のストリームからの前記テレビ番組の伝送の間、中断が差し迫っており、前記中断は、前記第２のストリームからの前記テレビ番組の録画の間、存在しない、項目８１に記載の方法。
（項目８３）
前記中断は、緊急警報メッセージおよび予定外のニュース放送のうちの１つまたはそれを上回るものを含む、項目８２に記載の方法。
（項目８４）
前記テレビ番組の伝送と実質的に同時に前記ユーザ機器デバイス上で前記テレビ番組を視聴しているユーザは、前記テレビ番組の間、前記中断を体験する、項目８２に記載の方法。
（項目８５）
前記テレビ番組の伝送後のある時間に前記ユーザ機器デバイス上で前記テレビ番組を視聴しているユーザは、前記テレビ番組の間、前記中断を体験しない、項目８２に記載の方法。
（項目８６）
前記第１のストリームから前記第２のストリームに前記テレビ番組の録画を切り替えるための命令は、前記第２のストリームのための録画チャンネル識別子を含む、項目８１−８５のいずれかに記載の方法。
（項目８７）
前記第２のストリームは、切り替えられたデジタルビデオストリームとして生成される、項目８１−８６のいずれかに記載の方法。
（項目８８）
前記テレビ番組の伝送後のある時間に前記ユーザ機器デバイス上で前記テレビ番組を視聴しているユーザは、ビデオオンデマンドサービスを介して前記テレビ番組を視聴するためのオプションを受信する、項目８１−８７のいずれかに記載の方法。
（項目８９）
前記テレビ番組の伝送後のある時間に前記ユーザ機器デバイス上で前記テレビ番組を視聴しているユーザは、前記テレビ番組が再放送される別の時間に前記テレビ番組を録画するためのオプションを受信する、項目８１−８８のいずれかに記載の方法。
（項目９０）
前記第２のストリームは、複数のユーザ機器デバイスからの前記テレビ番組が録画中であることの閾値数のインジケーションの受信に応答して生成される、項目８１−８９のいずれかに記載の方法。
（項目９１）
ユーザ機器デバイス上に録画するために無中断バージョンのテレビ番組を受信するための、その上に記録される命令を有する、非一過性コンピュータ可読媒体であって、
サーバから、テレビ番組を含む第１のストリームを受信するための命令と、
前記ユーザ機器デバイスにおいて、前記テレビ番組を録画するためのユーザ入力を受信するための命令と、
前記ユーザ機器デバイスを使用して、前記第１のストリームのための録画チャンネル識別子を識別するための命令と、
前記ユーザ機器デバイスを使用して、前記第１のストリームのための録画チャンネル識別子に基づいて、前記テレビ番組の録画を開始するための命令と、
前記サーバから、前記第１のストリームから第２のストリームに前記テレビ番組の録画を切り替えるための命令を受信するための命令と、
前記サーバから、前記テレビ番組を含む第２のストリームを受信するための命令と、
前記ユーザ機器デバイスを使用して、前記第２のストリームのための録画チャンネル識別子を識別するための命令と、
前記ユーザ機器デバイスを使用して、前記第２のストリームのための録画チャンネル識別子に基づいて、前記テレビ番組の録画を前記第２のストリームに切り替えるための命令と、
を備える、非一過性コンピュータ可読媒体。
（項目９２）
前記第１のストリームからの前記テレビ番組の伝送の間、中断が差し迫っており、前記中断は、前記第２のストリームからの前記テレビ番組の録画の間、存在しない、項目９１に記載の非一過性コンピュータ可読媒体。
（項目９３）
前記中断は、緊急警報メッセージおよび予定外のニュース放送のうちの１つまたはそれを上回るものを含む、項目９２に記載の非一過性コンピュータ可読媒体。
（項目９４）
前記テレビ番組の伝送と実質的に同時に前記ユーザ機器デバイス上で前記テレビ番組を視聴しているユーザは、前記テレビ番組の間、前記中断を体験する、項目９２に記載の非一過性コンピュータ可読媒体。
（項目９５）
前記ユーザ機器デバイス上で前記テレビ番組を視聴しているユーザは、前記テレビ番組の伝送後のある時間には、前記テレビ番組の間、前記中断を体験しない、項目９２に記載の非一過性コンピュータ可読媒体。
（項目９６）
前記第１のストリームから前記第２のストリームに前記テレビ番組の録画を切り替えるための命令は、前記第２のストリームのための録画チャンネル識別子を含む、項目９１に記載の非一過性コンピュータ可読媒体。
（項目９７）
前記第２のストリームは、切り替えられたデジタルビデオストリームとして生成される、項目９１に記載の非一過性コンピュータ可読媒体。
（項目９８）
前記テレビ番組の伝送後のある時間に前記ユーザ機器デバイス上で前記テレビ番組を視聴しているユーザは、ビデオオンデマンドサービスを介して前記テレビ番組を視聴するためのオプションを受信する、項目９１に記載の非一過性コンピュータ可読媒体。
（項目９９）
前記テレビ番組の伝送後のある時間に前記ユーザ機器デバイス上で前記テレビ番組を視聴しているユーザは、前記テレビ番組が再放送される別の時間に前記テレビ番組を録画するためのオプションを受信する、項目９１に記載の非一過性コンピュータ可読媒体。
（項目１００）
前記第２のストリームは、複数のユーザ機器デバイスからの前記テレビ番組が録画中であることの閾値数のインジケーションの受信に応答して生成される、項目９１に記載の非一過性コンピュータ可読媒体。